(57)【要約】【課題】  既存の連結管がそのまま使用でき、部品点数が少なく、安価に製造することができ、混合水栓と接続する際に容易に回動させることができる連結管を提供する。【解決手段】  配管３０から混合水栓４へ湯又は水を供給する継手部材１４であって、継手部材１４は、連結管８が挿入される収容室２３が形成された本体部１５と、該本体部１５が挿入される第１開口孔２５及び連結管８が挿入される第２開口孔２５ａを備え、第１開口孔２５の内周面に凹溝２６が形成されたカバー部２４と、凹溝２６に装着されるリング２８とから構成され、前記本体部１５は、前記カバー部２４の第１開口孔２５に嵌合するフランジ１９と大径部１８とにより段部１９ａが形成され、第１開口孔２５に本体部１５が挿入されると、リング２８が段部１９ａに係合されることによりカバー部２４を本体部１５に対し回動自在とし、カバー部２４には前記連結管８が接続される。【選択図】  図２
2005226384.tif 000002
【特許請求の範囲】
【請求項１】
湯又は水が通過する流路が形成され、該流路の一端には壁面の裏側に配設された湯又は水の配管が接続され、他端には壁面の表側に配置された混合水栓に結合した連結管が接続され、配管から混合水栓へ湯又は水を供給する継手部材であって、該継手部材は、前記連結管が挿入される収容室が形成された本体部と、該本体部が挿入される第１開口孔及び連結管が挿入される第２開口孔を備え、該第１開口孔の内周面略中央に凹溝が形成されたカバー部と、前記第１開口孔の凹溝に装着されるリングとから構成され、前記本体部は、前記カバー部の第１開口孔に嵌合するフランジと、該フランジより小径とした大径部とにより段部が形成され、第１開口孔に本体部が挿入されると、第１開口孔の凹溝に装着されたリングが本体部の段部に係合されることによりカバー部を本体部に対し回動自在とし、カバー部の第２開口孔には前記連結管が接続されることを特徴とする継手部材。
【発明の詳細な説明】
【技術分野】
【０００１】
本発明は、給水管，給湯管等の配管の各末端と、混合水栓に湯又は水を供給する連結管とを接続する継手部材に関するものである。
【背景技術】
【０００２】
従来、壁面に配設された給水管，給湯管等の配管と混合水栓とを接続する連結管は、クランク形に折れ曲がって形成されていた。この連結管は、配管と接続するためのねじ部が設けられた流入口部と、混合水栓の背面側に形成された湯入口部又は水入口部とを接続するための接続部と、該接続部と前記流入口部とを連通する本体部とから形成されている。また、連結管の内部には湯又は水が通過する流路が形成されており、配管から供給された湯又は水を混合水栓へ供給している。この種の連結管を使用した混合水栓を壁面に取り付けるには、給湯配管及び給水配管にそれぞれ連結管を取り付けた後、両連結管の壁面からの突出量を一致させ、次に両連結管の接続部のピッチと、混合水栓の両入口部のピッチとを一致させて接続していた。
【０００３】
通常、施工業者は連結管を配管に接続する際に、流入口部のねじ部にシールテープを巻いたり、シール剤を塗布した後に、ねじ部を配管にねじ込んでいたが、連結管を配管へねじ込んだ後、給湯配管及び給水配管に取り付けた各連結管の壁面からの突出量が略同等になるように調節した時点で、各連結管の接続部のピッチと、混合水栓の湯入口部及び水入口部のピッチとが合致することは稀であった。そのため、両ピッチが合致するように、連結管のねじ込み作業を何度か繰り返す必要があり、この作業は非常に手間のかかるものであった。そこで、配管にねじ込んだ後でも、接続部の位置を自由に回動させることができる連結管が登場し、このような連結管として公知のものに特許文献１乃至特許文献３のものがある。
【０００４】
特許文献１では、接続管は、混合水栓と配管とを連通させる中継管に対し接続され、中継管と配管との間に配置されるものであり、中継管基端を回動ならびに軸方向への摺動を自在として通挿させる挿入孔と、該挿入孔の内周に嵌設されたＯリングと、外端部に形成された化粧フランジの外端側に突設した首部の外周に嵌合され、挿入孔に挿通された中継管の基端を緊締掴持する環具とを備えている。
【０００５】
この接続管は、環具を緩めた状態で、湯又は水供給用の配管に接続された接続管本体の挿入孔内に向けて中継管の基端を通挿して、中継管を所望角度に回動させ、その後に環具を回動させて接続管本体に対して中継管を緊締し、次いで中継管を混合水栓に固定するものである。
【０００６】
特許文献２では、ソケット装置は、配管へ固定される螺設部，この螺設部の軸となる第１の軸方向に延びる第１の水路部，第１の係合部が形成された被嵌合部を備えた固定ソケットと、固定ソケットの被嵌合部に嵌まる孔及び第２の係合部が形成された嵌合部，一方が第１の水路部と連通するとともに、他方が第１の軸から離れる方向に延びる第２の水路部，混合水栓に接続される第２の水路部を備えた本体ソケットとから構成されている。
【０００７】
このソケット装置は、固定ソケットの被嵌合部に本体ソケットの嵌合部を嵌めることにより、ねじ込み方向では、本体ソケットの第２の係合部が固定ソケットの第１の係合部と係合する。さらに本体ソケットを回動させると、固定ソケットの第１の係合部が本体ソケットの第２の係合部に押されるようにして、本体ソケットと固定ソケットとが一体となって回動する。反対に、ねじの緩み方向に回動させると、本体ソケットの第２の係合部が固定ソケットの第１の係合部から離れるように移動して、本体ソケットのみが固定ソケットに対して回動するものである。
【０００８】
特許文献３では、管継手は第１継手部材と第２継手部材とから構成され、第１継手部材は、配管へ接続される雄ねじ付き接続口部が後端部に設けられ、かつ周壁には複数の導出孔が円周方向に間隔をおいて形成されている水平筒状であり、第２継手部材は、前記導出孔を覆うように第１管継手部材に回動可能かつ前後移動可能に嵌め被された回動筒部と、該回動筒部に外方突出状に設けられた外方突出筒部と、該外方突出筒部の先端側に連なって伸びた接続口部とよりなる。
【０００９】
また、第１継手部材の外周面における後端部と、第２継手部材の回動部材の内周面後端部とには、それぞれ嵌合部が形成されており、この嵌合部は、第２継手部材の回動部材を後方に移動させた際に、互いに嵌まりあって回動筒部の回動を阻止しうる一方、回動部材を前方に移動させた際に互いに前後にずれて回動筒部の回動を許容するものである。
【００１０】
【特許文献１】実公平６−３２５５号公報
【特許文献２】特許第３２９４８３０号公報
【特許文献３】特開２００３−１４７８１７号公報
【発明の開示】
【発明が解決しようとする課題】
【００１１】
しかしながら、特許文献１では、連結管が他機種との互換性が全くなく、一般的な部品が使えないため、メンテナンスや取替工事の際には、施工業者は同一部品を取り寄せなければならず、不便を強いられるものであった。また、特許文献２及び特許文献３では、ソケット装置及び管継手が複数の物品から構成されているため、部品点数が多くなり、製造コストが高価になる要因となっていた。
【００１２】
本発明は、このような従来の技術に存在する問題点に着目してなされたものであり、その目的は、既存の連結管がそのまま使用でき、部品点数が少なく、安価に製造することができ、混合水栓と接続する際に容易に回動させることができる継手部材を提供することにある。
【課題を解決するための手段】
【００１３】
請求項１に記載の発明では、湯又は水が通過する流路が形成され、該流路の一端には壁面の裏側に配設された湯又は水の配管が接続され、他端には壁面の表側に配置された混合水栓に結合した連結管が接続され、配管から混合水栓へ湯又は水を供給する継手部材であって、該継手部材は、前記連結管が挿入される収容室が形成された本体部と、該本体部が挿入される第１開口孔及び連結管が挿入される第２開口孔を備え、該第１開口孔の内周面略中央に凹溝が形成されたカバー部と、前記第１開口孔の凹溝に装着されるリングとから構成され、前記本体部は、前記カバー部の第１開口孔に嵌合するフランジと、該フランジより小径とした大径部とにより段部が形成され、第１開口孔に本体部が挿入されると、第１開口孔の凹溝に装着されたリングが本体部の段部に係合されることによりカバー部を本体部に対し回動自在とし、カバー部の第２開口孔には前記連結管が接続されるものである。
【発明の効果】
【００１４】
本発明の継手部材によると、カバー部が本体部に対し回動自在に取り付けられているので、連結管を継手部材に接続した後でもカバー部を回転させることにより、湯側及び水側の各連結管の接続部のピッチと、混合水栓に形成された湯及び水の入口部のピッチとを容易に合致させることができる。また、継手部材は少ない部品点数で構成されているので、安価に製造することができる。
【発明を実施するための最良の形態】
【００１５】
以下、本発明の実施例を図に基づいて詳細に説明する。
【実施例１】
【００１６】
図１は本発明の継手部材１４を用いて、浴室１の壁面２に混合水栓４を固定した状態の全体図であり、混合水栓４は、背面に湯及び水の各入口部４ａ，４ｂが形成され、該入口部４ａ，４ｂに取り付けられたクランク形の連結管８を介して壁面２に固定されている。また、混合水栓４に供給される湯，水は、混合水栓４内部に設けられた弁部材５により所望温度に混合され、その混合水は吐水管６又はシャワーヘッド７から吐水される。
【００１７】
図２は連結管８と本発明の継手部材１４との関係を示す図であり、継手部材１４は、本体部１５とカバー部２４とリング２８とから構成されている。
【００１８】
前記本体部１５は外径の異なる複数の円筒体を結合した形状で、略中央には壁面２に穿設された壁孔３より小径で、外周面に雄ねじ１７が設けられた小径部１６が形成されている。該小径部１６の一端には、湯又は水の配管３０と接続される接続部２０が一体に形成されており、該接続部２０は小径部１６より小径であり、外周面に配管３０と接続するための雄ねじ２１が設けられている。また、小径部１６の他端には、小径部１６より大径の大径部１８が突出して一体に形成されており、該大径部１８は壁面２に穿設された壁孔３より大径で、その端部にはさらに大径のフランジ１９が一体に形成されている。なお、本体部１５の内部には流路２２が軸心方向に貫通して形成されており、小径部１６からフランジ１９に跨る内部には、流路２２より大径で、後述する連結管８の一端に形成された流入口部１０が一定量挿入可能な収容室２３が形成されている。
【００１９】
前記カバー部２４は椀型形状で、大径側の端面には前記本体部１５のフランジ１９より大径の第１開口孔２５が形成されており、小径側の端面には、第１開口孔２５より小径とした第２開口孔２５ａが形成され、該第２開口孔２５ａの内周面には連結管８と接続するための雌ねじ２７が第１開口孔２５に向けて貫通して形成されている。また、第１開口孔２５の略中央には、第１開口孔２５より大径で環状の凹溝２６が形成されており、この凹溝２６にはリング２８が装着されている。
【００２０】
前記リング２８は環状で、一部にスリットが形成されて弾性力を有し、外力が加わると容易に縮径，拡径が可能なものである。
【００２１】
前記連結管８は、配管３０と混合水栓４の入口部とを連通させるためのもので、従来から一般的に用いられており、クランク形状を成している。該連結管８は、連結管本体９と、連結管本体９の一端に突出し、配管３０から供給された湯又は水が流入される流入口部１０と、連結管本体９の他端に流入口部１０とは反対方向に突出し、連結管８に供給された湯又は水を混合水栓４へ供給する流出口部１１とが一体に形成されている。なお、流入口部１０の外周には継手部材１４と接続するための雄ねじ１０ａが設けられている。また、連結管８の内部には湯又は水が通過する流路１２が形成されており、該流路１２の途中には配管３０から供給される湯又は水の流量を調節する止水栓１３ａや、異物を除去するためのストレーナ１３ｂを備えた機能部１３が収容されている。なお、機能部には止水栓，ストレーナだけでなく、例えば、湯又は水の逆流を防止するための逆止弁を加えたり、逆止弁のみを収容してもよい。
【００２２】
この継手部材１４を組み立てるには、予めリング２８をカバー部２４の凹溝２６に装着しておき、カバー部２４の第１開口孔２５に本体部１５のフランジ１９を挿入する。カバー部２４に本体部１５を挿入していくと、第１開口孔２５の凹溝２６に装着されたリング２８がフランジ１９を乗り越えて大径部１８とフランジ１９とにより形成された段部１９ａに係止されることにより、カバー部２４は本体部１５から容易に抜けることがなく、且つカバー部２４は本体部１５に対し回動自在となる。
【００２３】
上記構成において、混合水栓４を壁面２に取り付けるには、予めリング２８が装着されたカバー部２４を本体部１５へ取り付けて、継手部材１４を組み立てておく。そして、この本体部１５の大径部１８を壁面２に当接させ、小径部１６及び接続部２０の両雄ねじ１７，２１が壁面２の裏側に突出するように継手部材１４を壁孔３に挿通させる。
【００２４】
次に、小径部１６の雄ねじ１７に固定具２９の雌ねじ２９ａを螺合し、大径部１８と固定具２９とにより壁面２を挟持することにより、継手部材１４が壁面２に固定される。そして、接続部２０に形成された雄ねじ２１と、配管３０の雌ねじ３１とを螺合させ、継手部材１４と配管３０とを接続する。
【００２５】
次に、従来から一般的に用いられている連結管８を、湯側又は水側の各継手部材１４にねじ込んで接続する。これは、連結管８の流入口部１０外周に形成された雄ねじ１０ａとカバー部２４に形成された雌ねじ２７とを螺合させるものであるが、連結管８の接続が完了した状態では、図２に示すように、流入口部１０外周の雄ねじ１０ａの一部と、カバー部２４の雌ねじ２７とのみが螺合しており、流入口部１０は本体部１５の収容室２３に収容された状態となっている。この時、本体部の収容室には一定量の流入口部が収容されているので、各連結管の壁面からの突出量は湯側，水側のどちらも常に一定となり、混合水栓の壁面からの突出量も常に一定となる。
【００２６】
そして、カバー部２４を左右何れかの方向へ回動させると、継手部材１４はカバー部２４が本体部１５に対し回動自在な構成となっているため、カバー部２４と共に連結管８も一緒に回動するものである。この後、湯側及び水側の連結管８を混合水栓４に接続させるが、湯側及び水側の各連結管８の流出口部１１のピッチと、混合水栓４の湯及び水の入口部４ａ，４ｂのピッチとが異なっている場合には、カバー部２４を回動させて両ピッチが合致するように連結管の流出口部の位置を調節することができ、連結管８と混合水栓４との接続を良好に行うことができる。
【００２７】
以上のように、本発明の継手部材によると、既存の連結管をそのまま使用することができるため、メンテナンスや取替工事の際でも、施工業者は特別な部品を用意する必要がないため、すぐに作業を行うことができる。また、連結管は継手部材に接続すると壁面からの突出量が常に一定となるため、混合水栓の壁面からの突出量も常に一定とすることができる。さらに連結管は、継手部材に接続した後でも自由に回動させることができ、混合水栓との接続を良好に行うことができる。そして、継手部材は少ない部品点数で構成されているため、安価に製造することができる。
【図面の簡単な説明】
【００２８】
【図１】本発明の継手部材を用いて、混合水栓を壁面に固定した状態を示す説明図である。
【図２】継手部材に連結管を接続した状態の断面図である。
【図３】継手部材に連結管を接続する前の状態の断面図ある。
【図４】継手部材の分解斜視図である。
【符号の説明】
【００２９】
４：混合水栓
４ａ：湯の入口部
４ｂ：水の入口部
８：連結管
１０：流入口部
１１：流出口部
１４：継手部材
１５：本体部
１８：大径部
１９：フランジ
１９ａ：段部
２３：収容室
２４：カバー部
２５：第１開口孔
２５ａ：第２開口孔
２６：凹溝
２８：リング
３０：配管
【図１】
2005226384.tif 000003
【図２】
2005226384.tif 000004
【図３】
2005226384.tif 000005
【図４】
2005226384.tif 000006